(57)【要約】  【課題】本考案は、収納状態或いは設置状態のテント重量が非常に重いものであったとしても、収納状態若しくは設置状態における水平方向の移動を容易に行なうことができる折り畳み式テントを提供せんとするものである。  【解決手段】屋根幕と、この屋根幕を展張して支持する屋根支持構造とからなる屋根構造体と、この屋根構造体を支持するために立設される支柱を有し、この支柱のうち少なくとも３本の支柱の平面配置が平面多角形をなしているテントにおいて、少なくとも隣り合う２本以上の支柱の下端に脚輪が取り付けられ、該脚輪にテント重量を載せることで水平方向の移動を容易にするように構成されることを特徴とする。  【選択図】図１
0003115548.tif 000002
【実用新案登録請求の範囲】
【請求項１】
少なくとも、屋根幕と屋根構造フレーム体と支柱からなるテントにおいて、当該支柱の下端に脚輪が取り付けられていることを特徴とする脚輪付支柱を有するテント。
【請求項２】
少なくとも、屋根幕と屋根構造フレーム体と３本以上の支柱からなるテントにおいて、少なくとも隣り合う２本以上の支柱の下端に脚輪が取り付けられ、テントの折り畳み状態に於いて、当該テントを前記脚輪が取り付けられている支柱側に傾斜させることにより、当該テントの全重量が前記脚輪に加わり、水平方向の移動を容易にするようにしたことを特徴とする脚輪付支柱を有するテント。
【請求項３】
脚輪の回転を阻止するための回転阻止機構を備え、回転可能状態と回転不可状態とを自在に切り換えることができるように構成されることを特徴とする請求項１又は２に記載の脚輪付支柱を有するテント。
【請求項４】
回転不可状態とした脚輪を有する支柱の高さと、脚輪を有さない支柱の高さがほぼ同等に構成されることを特徴とする請求項１乃至３のいずれかに記載の脚輪付支柱を有するテント。
【請求項５】
屋根フレーム体が、少なくとも２つの一字形フレームを互いに重ねて交差させ、その交差点部をピン留めして回転自在にしてなる１つ以上のＸ字形フレームからなる辺部フレームと、展張時において屋根幕を傾斜させて支持する屋根支持フレームと、当該屋根支持フレームを支える補助フレームを有し、折り畳み自在に構成されることを特徴とする請求項１乃至４のいずれかに記載の脚輪付支柱を有するテント。
【考案の詳細な説明】
【技術分野】
【０００１】
本発明は、屋根が複数本の支柱によって支持される構造を有するテントに関するもので、より具体的には前記支柱に、脚輪を備えたテントに関するものである。
【背景技術】
【０００２】
従来、屋根が複数本の支柱によって支持される構造を有するテントといえば、支柱すなわち脚の数量が４本のものが一般的であり、広く利用されている。これら４本脚のテントの構造は、屋根幕とこの屋根幕を展張して支持する屋根構造フレーム体とからなる平面方形状の屋根構造体を有し、この屋根構造体の四隅にそれぞれ支柱が取り付けられた構成を採っているのが一般的である。そのような構造のテントとしては例えば、当該発明の発明者等によって以前に開示された特開２００５−２６９９号公報（特許文献１）の如くのテントが挙げられる。かかる構造のテントにおいては、屋根構造体が３本以上の支柱に支持される構造を採り得るものであるが、基本的には上記４本脚テントと同様の構成が採られ設置及び収納が容易で、設置状態においては高度な安定性が得られるという特長を有している。しかしその反面、非常に重く、運搬性に難があるという問題があった。
【０００３】
【特許文献１】特開２００５−２６９９号公報
【考案の開示】
【考案が解決しようとする課題】
【０００４】
本考案は、上記の如くの問題を解決せんとするものであり、仮に、収納状態或いは設置状態のテント重量が非常に重いものであったとしても、収納状態若しくは設置状態における水平方向の移動を容易に行なうことができる折り畳み式テントを提供せんとするものである。
【課題を解決するための手段】
【０００５】
上記課題を解決するために本考案が採った手段は、少なくとも、屋根幕と屋根構造フレーム体と支柱からなるテントにおいて、当該支柱の下端に脚輪が取り付けられていることを特徴とする。
【０００６】
又、少なくとも、屋根幕と屋根構造フレーム体と３本以上の支柱からなるテントにおいて、少なくとも隣り合う２本以上の支柱の下端に脚輪が取り付けられ、テントの折り畳み状態に於いて、当該テントを前記脚輪が取り付けられている支柱側に傾斜させることにより、当該テントの全重量が前記脚輪に加わり、水平方向の移動を容易にするようにしたことを特徴とする。
【０００７】
更に、脚輪の回転を阻止するための回転阻止機構を備え、回転可能状態と回転不可状態とを自在に切り換えることができるように構成されることを特徴とする。
【０００８】
更に、回転不可状態とした脚輪を有する支柱の高さと、脚輪を有さない支柱の高さがほぼ同等に構成されることを特徴とする。
【０００９】
更に、屋根フレーム体が、少なくとも２つの一字形フレームを互いに重ねて交差させ、その交差点部をピン留めして回転自在にしてなる１つ以上のＸ字形フレームからなる辺部フレームと、展張時において屋根幕を傾斜させて支持する屋根支持フレームと、当該屋根支持フレームを支える補助フレームを有し、折り畳み自在に構成されることを特徴とする。
【考案の効果】
【００１０】
本考案は、重量が非常に重いテントであったとしても、収納状態における水平方向の移動を容易に行なうことができ、また設置状態における水平方向の移動であっても比較的容易に行なうことができる折り畳み式テントを提供することができる。
【考案を実施するための最良の形態】
【００１１】
以下、この考案の好ましい実施の形態を図を参照しながら説明する。図１及び図５に示すように当該考案の脚輪付支柱を有する折り畳み式のテント(１)は、平面正方形の四隅位置に立設される４本の支柱(２)(３)と、この辺部分をなすように各支柱(２)(３)間に架設される辺部フレーム(４)と、前記４本の支柱(２)(３)それぞれの上部から屋根の中央部に向かって延在して屋根を傾斜状に支持する屋根支持フレーム(５)と、この屋根支持フレーム(５)を支える補助フレーム（14）と屋根幕(６)とから構成される。ここで、屋根支持フレーム(５)と補助フレーム（14）と辺部フレーム(４)を総称して、屋根フレーム体（15）と称する。
【００１２】
図示の実施態様においては、支柱(２)(３)の数は４本であるが、勿論これに限るものではなく、３本以上の支柱(２)(３)を有し、それらのなす平面形状が多角形をなすものであってそのうち少なくとも隣り合う２本が脚輪付支柱(２)であればよくそれ以外特に限定されず、従って、上記平面形状は正方形とされるが、これに限らないことはいうまでもない。
【００１３】
前記支柱(２)(３)は、その下端に脚輪(７)を取り付けてなる脚輪付支柱(２)と、脚輪(７)を有さないものとがあって、前者の脚輪(７)には、その回転を阻止するための回転阻止機構が設けられ、回転可能状態と回転不可状態とを自在に切り換えることができるように構成される（図示せず）。ここで言う、回転阻止機構とは、一般的な脚輪に使われている回転止めであって、例えば、特開平５−３０６５８２号に示されているストッパーを挙げることができる。
【００１４】
また、これらの両支柱(２)(３)は、比較的大きな内径の上部筒状柱(8a)(8b)と、この内径よりも若干細身の外径の下部筒状柱(9a)(9b)とからなり、これらを上部筒状柱(8a)(8b)に下部筒状柱(9a)(9b)を差し込み自在として伸縮し得るように構成され、最長状態を固定し得るようになっている。また、これら支柱(２)(３)の高さは、以上のように構成される脚輪付支柱(２)の脚輪(７)を回転不可状態としたときの最長化状態における高さと、脚輪(７)を有さない支柱(３)の最長化状態時における高さとが同等になるように構成されている。
【００１５】
上記支柱(２)(３)は、必ずしも伸縮自在に構成されていなければならないというものではないが、収納状態をよりコンパクトにするためには、折り畳み式或いは伸縮式等として、コンパクト化することが好ましい。コンパクトにして収納状態としたときの支柱(２)(３)の高さが、辺部フレーム(４)や屋根支持フレーム(５)等の収納時における高さと同等以上となるようにすることが必要である。このように構成される図１に示した脚輪付支柱(２)を有するテント(１)の折り畳み状態を示したのが図２の(ａ)であり、その脚輪(７)の回転止を解除して回転可能な状態とし、この脚輪(７)を軸にして収納状態のテント(１)を傾斜させた状態を示したのが図２の(ｂ)であり、この状態で水平方向の移動を容易に行なうことができるようになっている。
【００１６】
上記実施態様においては、全支柱(２)(３)の４本のうち、隣り合う２本が脚輪付支柱(２)であるが、勿論これに限らず、互いに対角位置に立設される２本の支柱だけが脚輪付支柱(２)であるという場合を除き、少なくとも隣り合う２本の支柱が脚輪付支柱(２)で構成されていれば、図４に示す一例のように脚輪付支柱(２)は２本以上であってもよい。
【００１７】
図３に示すように、辺部フレーム(４)は、２本の一字形フレーム(10)を互いに重ねて交差させ、その交差点部をピン留めして回動自在にしてなる少なくとも１つのＸ字形フレーム(11)から構成される。図示の実施態様の辺部フレーム(４)は、該Ｘ字形フレーム(11)が横方向に３つそれぞれが回動自在となるように連結されてなっている。このように構成されるそれぞれの辺部フレーム(４)は、その両端の上端部がそれぞれ支柱(２)(３)の上端に固定されるトップブラケット(12)に回動可能に取り付けられ、下端部がそれぞれ支柱(２)(３)に摺動自在に取り付けられたスライドブラケット(13)に回動可能に取り付けられ、スライドブラケット(13)の支柱(２)(３)に沿った上下動に連動して、パンタグラフ状に屈伸して水平方向に伸縮でき折り畳み自在に構成されている。
【００１８】
また、屋根支持フレーム(５)は、トップブラケット(12)に、屋根の中央部に向けて回動可能に取り付けられている。また、屋根支持フレーム(５)は、その適当な箇所に、一端がスライドブラケット(13)に回動可能に取り付けられる補助フレーム(14)の他端が回動可能に連結され、展張して設置する際には、屋根支持フレーム(５)が補助フレーム(14)によって下方から押し上げられて所定位置に保持されるようになっている。収納時には、スライドブラケット(13)の降下に伴って、補助フレーム(14)が降下して屋根支持フレーム(５)を引き下げ、支柱(２)(３)とほぼ並行をなすように構成されている。
【００１９】
図５においては、伸縮自在になっている支柱（２）の全てに脚輪をとりつけ、折り畳んだ状況での他の実施例を示している。重いテントでも軽い力で移動、収納が可能である。
【００２０】
図６においては、特表平6-504104号に示される様な他の折り畳み形式のテントに脚輪をとりつけた実施例を示している。このようなフレームの数が多いタイプのテントにおいては、重量も嵩む傾向にあるので、脚輪を取り付けることにより、移動、収納においてより効果を発揮することができる。
【００２１】
屋根幕(６)は、耐候性と防水性を有する生地からなり、上記屋根支持フレーム(５)と辺部フレーム(４)とが形成する空間領域に覆い被さるように形成され、該屋根支持フレーム(５)と辺部フレーム(４)とによって張設されるように構成される。
【図面の簡単な説明】
【００２２】
【図１】脚輪付支柱を有する折り畳み式のテントの斜視図
【図２】（a）は、本発明に係わるテントの折り畳み状態を示す側面図で、（b）は、同テントを傾斜させた状態を示す側面図
【図３】本発明に係わるテントの正面透視図
【図４】全ての支柱に脚輪が付いているテントの斜視図
【図５】全ての支柱に脚輪が付いているテントの折り畳み状態を示す他の実施例に係わる斜視図
【図６】他の折り畳み形式のテントに脚輪が付いている状態を示す斜視図
【符号の説明】
【００２３】
１  脚輪付支柱を有する折り畳み式のテント
２  脚輪付支柱
３  支柱
４  辺部フレーム
５  屋根支持フレーム
６  屋根幕
７  脚輪
8a  上部筒状柱
8b  上部筒状柱
9a  下部筒状柱
9b  下部筒状柱
10  一字形フレーム
11  Ｘ字形フレーム
12  トップブラケット
13  スライドブラケット
14  補助フレーム
15  屋根フレーム体
【図１】
0003115548.tif 000003
【図２】
0003115548.tif 000004
【図３】
0003115548.tif 000005
【図４】
0003115548.tif 000006
【図５】
0003115548.tif 000007
【図６】
0003115548.tif 000008